(57)【要約】【課題】  撮像装置のＬＣＤ表示部を保護するとともに、ＬＣＤへの不要な表示をさけ、カメラの無駄な電力消費を防止したり、マクロ撮影時の失敗を防止することを目的とする。【解決手段】  撮影した像を表示するＬＣＤなどの表示部と、表示部を保護する開閉自在のカバーと、被写体を撮影する撮影モードと、撮影した被写体を再生する再生モードを有する撮像装置において、カバーが閉状態の場合、表示部を非表示としたり、再生モードへの移行を禁止して、不要な表示による電力の無駄な消費を防止する。また、同じくカバーが閉状態で撮影モードの場合、光学ファインダでマクロ撮影を行うと視差により失敗撮影となる可能性が大きいので、マクロ撮影を禁止し、失敗撮影を低減する。【選択図】  図１
2008015095.tif 000002
【特許請求の範囲】
【請求項１】
撮影情報を表示する表示手段と、該表示手段を保護する保護手段を有し、該表示手段が該保護手段により保護された状態では、該表示手段が非表示になることを特徴とする撮像装置。
【請求項２】
被写体像を表示する再生モードと、再生モードに移行するモード選択手段を有し、前記表示手段が前記保護手段により保護された状態では、該再生モードへの移行が禁止されることを特徴とする請求項１に記載の撮像装置。
【請求項３】
被写体像を表示する再生モードと、再生モードに移行するモード選択手段と、該被写体像を外部に出力する外部出力手段を有し、前記表示手段が前記保護手段により保護された状態で、該モード選択手段で該再生モードが選択されると、外部出力手段から該被写体像が出力されることを特徴とする請求項１に記載の撮像装置。
【請求項４】
被写体を撮像する撮像モードと、該被写体を表示する表示手段と、該表示手段を保護する保護手段を有し、撮像モードであって、該表示手段が該保護手段により保護された状態では、該表示手段が非表示になることを特徴とする撮像装置。
【請求項５】
被写体像を外部に出力する外部出力手段を有し、前記表示手段が前記保護手段により保護された状態で、撮像装置が前記撮像モードになると、外部出力手段から該被写体像が出力されることを特徴とする請求項４に記載の撮像装置。
【請求項６】
マクロ撮像モードと、マクロ撮像モードに移行するモード選択手段を有し、前記表示手段が前記保護手段により保護された状態では、該マクロ撮像モードへの移行が禁止されることを特徴とする請求項４に記載の撮像装置。
【請求項７】
外部記憶装置に被写体像情報を転送する転送モードと、被写体像を表示する表示手段と、該表示手段を保護する保護手段と、レンズ鏡筒と、該レンズ鏡筒を保護するレンズ保護手段を有し、該表示手段が該保護手段により保護され、該レンズ鏡筒がレンズ保護手段により保護された状態では、転送モードが選択されることを特徴とする撮像装置。
【発明の詳細な説明】
【技術分野】
【０００１】
本発明は表示手段を有する撮像装置に関する。
【背景技術】
【０００２】
レンズ鏡筒をかいして撮像素子に結像した被写体像を光電変換し、被写体像情報として記録または再生を行う撮像装置がある。このような撮像装置の中には、その被写体像をドットマトリックス状に配置された液晶などで表示可能な表示装置を有するものもある。表示装置には、被写体像を再生表示する機能や、記録時に被写体を観察表示する機能をもたせている。
【０００３】
表示装置によって被写体の観察画像を表示することで、使用者はこれから撮像する画像の画角や露出を事前に予測することができる。特に、一眼タイプのファインダーをもたない撮像装置の場合、ファインダー像と実際に撮影される像の間には視差が生ずる。しかし、表示装置によって表示される被写体像は、撮像される像そのものであり、このような撮像装置には視差が生じないという長所がある。ファインダーによるマクロ撮影のような視差の影響が大きく現れる場面においても、表示装置によって観察像を確認することで視差のない画像を得ることができる。
【０００４】
そして、表示装置を有する撮像装置の中には、撮像装置を使っていないときの表示装置の保護を目的に、表示装置に保護カバーを取り付けられるようにした撮像装置がある。
【０００５】
従来例としては、例えば特許文献１と特許文献２をあげることができる。
【特許文献１】特開２００１−３４３６８０号公報
【特許文献２】特開２００３−３２５３２号公報
【発明の開示】
【発明が解決しようとする課題】
【０００６】
しかしながら、従来は表示装置の保護カバーの状態の検出をしていないため、保護カバーにより表示装置が不可視であっても、表示装置は表示状態になることがあった。例えば、保護カバーにより表示装置が不可視であっても、撮像装置が再生モードでは、表示装置には再生画像が表示されていた。これにより、電力が無駄に消費され、電池を使った撮像装置では、使用者には気が付かないうちに動作時間が短くなる原因となっていた。
【０００７】
また、同じく保護カバーにより表示装置が不可視であっても、撮像装置が記録モードであって、被写体を観察表示しているときには、表示装置に観察画像が表示されてしまう不具合があった。さらに、マクロ撮影時のように表示装置による被写体像の観察が必要な場面であっても、保護カバーにより表示装置が不可視であるために、撮影された被写体像の視差が大きく失敗した写真になる可能性が大きかった。
【０００８】
本発明の課題は、保護カバーにより表示装置が不可視である場合は、自動的に表示装置の表示を禁止し、電力消費の無駄を省くとともに、マクロ撮影時の視差のように、光学的観察像と実際に撮影される像の差異が大きい画像を撮影するときの失敗を減らすことである。
【課題を解決するための手段】
【０００９】
本願の請求項１に係る発明は、撮影情報を表示する表示手段と、表示手段を保護する保護手段を有し、表示手段が保護手段により保護された状態では、表示手段が非表示になることを特徴とする。
【００１０】
本願の請求項２に係る発明は、本願の請求項１にかかる発明において、被写体像を表示する再生モードと、再生モードに移行するモード選択手段を有し、表示手段が保護手段により保護された状態では、再生モードへの移行が禁止されることを特徴とする。
【００１１】
本願の請求項３に係る発明は、本願の請求項１にかかる発明において、被写体像を表示する再生モードと、再生モードに移行するモード選択手段と、被写体像を外部に出力する外部出力手段を有し、表示手段が保護手段により保護された状態で、モード選択手段で再生モードが選択されると、外部出力手段から被写体像が出力されることを特徴とする。
【００１２】
本願の請求項４に係る発明は、被写体を撮像する撮像モードと、被写体を表示する表示手段と、表示手段を保護する保護手段を有し、撮像モードであって、表示手段が該保護手段により保護された状態では、表示手段が非表示になることを特徴とする。
【００１３】
本願の請求項５に係る発明は、本願の請求項４にかかる発明において、被写体像を外部に出力する外部出力手段を有し、表示手段が保護手段により保護された状態で、撮像装置が撮像モードになると、外部出力手段から被写体像が出力されることを特徴とする。
【００１４】
本願の請求項６に係る発明は、本願の請求項４にかかる発明において、マクロ撮像モードと、マクロ撮像モードに移行するモード選択手段を有し、表示手段が保護手段により保護された状態では、マクロ撮像モードへの移行が禁止されることを特徴とする。
【００１５】
本願の請求項７に係る発明は、外部記憶装置に被写体像情報を転送する転送モードと、被写体像を表示する表示手段と、表示手段を保護する保護手段と、レンズ鏡筒と、レンズ鏡筒を保護するレンズ保護手段を有し、表示手段が保護手段により保護され、レンズ鏡筒がレンズ保護手段により保護された状態では、転送モードが選択されることを特徴とする。
【発明の効果】
【００１６】
以上のように本発明によれば、表示装置を保護する保護カバーの状態を検出し、その状態に合わせカメラの動作モードを最適に制御するので、電力の消費を抑え、使用者に使いやすいカメラを提供することができる。
【発明を実施するための最良の形態】
【００１７】
以下、図面を参照して本発明の第一の実施形態についてさらに詳しく説明する。
【００１８】
この実施形態は、光学的フィンダーと、撮像素子により光電変換された被写体像を表示する液晶ディスプレイと、レンズを保護するレンズキャップを有するカメラに本発明を適用したものである。図１は本発明の実施形態に係るカメラを撮影レンズを前面に描いた斜視図である。なお、以下、同一の部材は同一の符号を付して説明している。
【００１９】
図１において、１はカメラ本体である。２は、不図示の撮像素子に被写体像を結像させるレンズ鏡筒である。カメラ本体１は内部に、被写体を観察するための光学的なファインダー３を有しており、３ａはファインダー３の対物レンズである。ファインダー３の光軸とレンズ鏡筒２の光軸はそれぞれ別であり、一眼タイプではない。そのため、ファインダー３により観察した像は、実際に撮影する像に対して視差により、ずれて観察される。４はカメラ本体１に撮影の開始を指示するレリーズボタンである。レリーズボタン４を操作することで、被写体像がカメラ本体１に記録される。
【００２０】
図２は、カメラの表示装置を前面に描いた斜視図である。３ｂは、ファインダー３の接眼レンズである。５は液晶素子が縦横に格子状に配置された液晶表示装置である。６はカメラの動作モードを変更するモード変更ボタンである。図３は、モード変更ボタン６によりカメラの動作モードが変わっていく順番を表す。なお、カメラの動作モードは図３に表すものに限定するものではない。
【００２１】
図２に戻って、７は液晶表示装置５を保護する保護カバーである。なお、図２は、保護カバー７が開いており、液晶表示装置５が可視状態であることを示している。図４は、保護カバー７が閉じており、液晶表示装置５が保護された状態であることを示している。この状態では液晶表示装置５は不可視となる。
【００２２】
保護カバー７は次に示す検出スイッチ８によって、開いているか、閉じているかの状態を検出が可能になっている。図５および図６は検出スイッチ８の動作について説明した図である。図５は保護カバー７が開いた状態であり、このとき検出スイッチ８の接点が閉じており、通電状態になる。図６は保護カバー７が閉じた状態であり、接点は開いており、不通電状態になる。カメラは不図示のカメラ制御回路により、検出スイッチ８の状態を検出することができる。
【００２３】
図２に戻って、９は、撮影しカメラに記録されている被写体像、または、撮影するための観察中の画像を、外部のモニタに出力するビデオ出力端子である。ビデオ出力端子９と外部モニタを、不図示の接続コードを用いて接続することで、カメラの液晶表示装置５に表示される画像を外部モニタに表示できるようになる。１０は、カメラに記録された画像を、コンピュータのような外部記憶装置に接続するためのＰＣ接続端子である。ＰＣ接続端子１０と外部記憶装置を、不図示の接続コードを用いて接続することで、カメラに記録された画像を外部記憶装置に転送することが可能になる。
【００２４】
次に、各カメラモードにおける保護カバー７の状態と、液晶表示装置５、および、その他のカメラ動作の関係について説明する。
【００２５】
再生モードは、あらかじめカメラに記録されている画像を液晶表示装置５に表示するモードである。カメラ動作モードとして再生モードが選択され、保護カバー７が開いた状態であるとカメラの制御回路が検出した場合には、液晶表示装置５に再生画像が表示される。保護カバー７が閉じた状態であると検出された場合には、制御回路によって液晶表示装置５には、なにも表示されない。
【００２６】
このように、再生モードであっても、液晶表示装置５が可視状態にあるときにだけ、表示をおこなうので、無駄に表示をおこない、電力を浪費することがない。
【００２７】
また、保護カバー７が閉じた状態では、再生モードへの移行そのものを禁止することで、液晶表示装置５への表示を防止することも可能である。さらに、別の例として、再生モード選択時に、保護カバー７が閉じている場合、自動的にビデオ出力端子９から画像の出力を行うように制御してもよい。
【００２８】
記録モードは、被写体を撮影し、カメラに被写体像を記録するモードである。カメラ動作モードとして記録モードが選択され、保護カバー７が開いた状態であると検出された場合には、制御回路によって、液晶表示装置５に観察画像が表示される。保護カバー７が閉じた状態であると検出された場合には、制御回路によって液晶表示装置５にはなにも表示されない。撮影者は、ファインダー３によって被写体を観察し、撮影を行うことになる。
【００２９】
このように、液晶表示装置５が不可視状態にあるときには、表示をせずに撮影を行うようになり、電力を消費を抑えることができる。
【００３０】
別の例として、記録モードであって保護カバー７が閉じた状態の場合、液晶表示装置５に観察画像が表示されなくなるとともに、ビデオ出力端子９から画像の出力を行うように制御してもよい。このように制御することで、使用者は外部のモニタに観察画像を表示しながら、撮影を行なうことができる。
【００３１】
さらに別の例として、近接した被写体を撮影するマクロ撮影時には、レンズ鏡筒２に対するファインダー３の視差が大きくなる。つまり、マクロ撮影時には、液晶表示装置５を用いて撮影することで、撮影の失敗を低減できる。そこで、保護カバー７が閉じていると検出された場合、マクロ撮影の禁止または警告を行うことで、失敗撮影を減らすことができる。
【００３２】
本発明の第二の実施形態について説明する。なお、以下、同一の部材は前述の第一の実施形態と同一の符号を付して説明している。図７は本発明のカメラのレンズ鏡筒にレンズキャップを取り付けた図である。１０はレンズを保護するレンズキャップである。不図示であるが、本発明のカメラにはレンズキャップの有無を検出する機能がある。
【００３３】
保護カバー７が閉じられていると検出された場合、液晶表示装置５への表示が行われなくなる。これにより、再生モード時には、液晶表示装置５になにも表示されず、記録モード時には、ファインダー３を用いての撮影となる。さらに、レンズキャップ１０によりレンズ鏡筒２が保護された状態では、記録モードであってもカメラの制御回路は、撮影を禁止するように制御する。このように制御することで、撮影の失敗を防ぐことができる。
【００３４】
また、上記のように保護カバー７が閉じ、レンズキャップ１０が取り付けられた状態であると検出された場合には、自動的に、転送モードに切り替わり、外部記憶装置との通信が可能な状態になる。
【図面の簡単な説明】
【００３５】
【図１】本発明のカメラを撮像レンズを前面に描いた斜視図である。
【図２】カメラの表示装置を前面に描いた斜視図である。
【図３】動作モードが変わっていく順番を示す図である。
【図４】保護カバーが閉じた状態を示す図である。
【図５】検出スイッチの動作について説明する図である。
【図６】検出スイッチの動作について説明する図である。
【図７】本発明のカメラのレンズ円筒にレンズキャップを取り付けた図である。
【図１】
2008015095.tif 000003
【図２】
2008015095.tif 000004
【図３】
2008015095.tif 000005
【図４】
2008015095.tif 000006
【図５】
2008015095.tif 000007
【図６】
2008015095.tif 000008
【図７】
2008015095.tif 000009